(57)【要約】【課題】マルチディスプレイ装置を構成するすべての表示装置の表示に係る設定を、適切に、かつ簡単に変更することができるマルチディスプレイ装置を提供する。【解決手段】表示部（１０）を備えた複数の表示装置（１００）を連結して構成されるマルチディスプレイ装置（１）において、複数の表示装置（１００）のうちの特定された表示装置（１００）の表示に係る表示装置毎の設定を指示する指示信号を送信するリモコン装置（１１０）を備え、複数の表示装置（１００）の構成として、指示信号に基づきそれぞれの表示装置（１００）の設定を切り替える設定切替制御部を備え、リモコン装置（１１０）の構成として、複数の操作キー（１２１１）を備え、特定された操作キー（１２１１）に応じて特定された表示装置（１００）に対して指示信号を送信することを特徴とするものである。【選択図】図１
2019174719.tif 000002
【特許請求の範囲】
【請求項１】
表示部を備えた複数の表示装置を連結して構成されるマルチディスプレイ装置において、
前記複数の表示装置のうち特定された表示装置の表示に係る前記表示装置毎の設定を指示する指示信号を送信する操作装置を備え、
前記複数の表示装置は、前記指示信号に基づきそれぞれの表示装置の設定を切り替える設定切替制御部を備え、
前記操作装置は、複数の操作キーを備え、
前記複数の操作キーのうちから前記表示装置の設定に用いる操作キーを特定し、
前記特定された操作キーに応じて特定された表示装置に対して前記指示信号を送信することを特徴とするマルチディスプレイ装置。
【請求項２】
前記複数の表示装置は、それぞれの表示装置の表示に係る設定が記憶された設定記憶部を備え、
前記複数の表示装置のうち特定された表示装置は、前記指示信号を受信する通信部を備え、
前記通信部が前記指示信号を受信したときは、前記特定された表示装置は、接続されている他の表示装置に前記指示信号を送信し、
前記接続されている他の表示装置は、前記指示信号を受信したときは、それぞれ接続されているその他の表示装置に前記指示信号を送信することを特徴とする請求項１に記載のマルチディスプレイ装置。
【請求項３】
前記複数の表示装置は、それぞれの表示装置の表示に係る設定が記憶された設定記憶部と、前記指示信号を受信する通信部とを備え、
前記通信部が前記指示信号を受信したときは、それぞれの表示装置は、前記指示信号に基づきそれぞれの表示装置の設定を切り替えることを特徴とする請求項１に記載のマルチディスプレイ装置。
【請求項４】
前記複数の表示装置のうち特定された表示装置は、それぞれの表示装置の表示に係る設定が記憶された第１設定記憶部を備え、さらに前記指示信号を受信する通信部を備え、
前記複数の表示装置のうち特定された表示装置を除くその他の表示装置は、それぞれの表示装置の表示に係る設定を記憶する第２設定記憶部を備え、
前記通信部が前記指示信号を受信したときは、前記特定された表示装置は、その他の表示装置にそれぞれの表示装置の表示に係る設定を送信し、
前記その他の表示装置は、送信されたそれぞれの表示装置の表示に係る設定を前記第２設定記憶部に記憶することを特徴とする請求項１に記載のマルチディスプレイ装置。
【請求項５】
前記操作装置は、それぞれの表示装置の表示に係る設定が記憶された第１設定記憶部を備え、
前記複数の表示装置は、それぞれの表示装置の表示に係る設定を記憶する第２設定記憶部と、前記指示信号を受信する通信部とを備え、
前記操作装置は、前記指示信号を前記複数の表示装置に送信するとともに、前記指示信号に基づく特定された表示装置に対して特定の表示装置の表示に係る設定を送信し、
前記特定された表示装置は、前記第１設定記憶部にそれぞれの表示装置の表示に係る設定を記憶することを特徴とする請求項１に記載のマルチディスプレイ装置。
【請求項６】
前記表示装置の設定は、少なくとも、前記マルチディスプレイ装置のレイアウト位置の設定、エンラージの設定、明るさの設定、色温度の設定の何れかを含むことを特徴とする請求項１から５のうち何れか一項に記載のマルチディスプレイ装置。
【発明の詳細な説明】
【技術分野】
【０００１】
本発明は、マルチディスプレイ装置に係り、特に、表示部を備えた複数の表示装置を連結して構成されるマルチディスプレイ装置に関する。
【背景技術】
【０００２】
近年、大型のディスプレイ（画像表示装置）を用いる画像表示システムが知られている。この画像表示システムは、会議やプレゼンテーション等を行う際に多く利用される。
また、大型のディスプレイとして、複数の表示装置を映像配信装置に接続して大画面のマルチディスプレイ装置を構成するものが知られている。
【０００３】
マルチディスプレイ装置を構成する場合は、入力信号や用途によって、例えば、エンラージ用に設定を変えたり、入力を変えたりする必要がある。しかしながら、複数の表示装置の設定を変更するために、PCのツールやコマンドを使用することはPCに慣れていないものには難しかった。
【０００４】
そこで、従来技術として、例えば、マルチディスプレイ装置において、個々の映像表示装置で個別に識別設定を行うことなく、各映像表示装置がそれぞれの表示すべき映像を表示するようにした技術が開示されている（特許文献１を参照）。
【０００５】
特許文献１の従来技術によれば、静止画信号は、垂直同期信号、映像信号、水平同期信号以外に別途識別信号を用いることなく、しかも、各映像表示装置の映像ブランク期間の個別設定を行なう必要が無く、マルチディスプレイ装置による映像表示を実現することが可能となる。
【先行技術文献】
【特許文献】
【０００６】
【特許文献１】特開２０１２−２１２０６１号公報
【発明の概要】
【発明が解決しようとする課題】
【０００７】
しかしながら、例えば、5x5のマルチディスプレイ装置において、使用状況に応じて上側の４段だけを使用する場合や、中央の３列だけを使用するなど、エンラージの設定を使い分けたり、映像と音声の入力設定の組み合わせを変更したりする必要があるため、上述した特許文献１のような従来技術では、すべてのディスプレイの設定を、適切に、かつ簡単に変更することはできないという問題がある。
【０００８】
本発明は、上記従来の問題に鑑みてなされたものであって、マルチディスプレイ装置を構成するすべての表示装置の表示に係る設定を、適切に、かつ簡単に変更することができるマルチディスプレイ装置を提供することを目的とする。
【課題を解決するための手段】
【０００９】
上述した課題を解決するための本発明に係るマルチディスプレイ装置は、次の通りである。
【００１０】
本発明は、表示部を備えた複数の表示装置を連結して構成されるマルチディスプレイ装置において、前記複数の表示装置のうち特定された表示装置の表示に係る前記表示装置毎の設定を指示する指示信号を送信する操作装置を備え、前記複数の表示装置の構成として、前記指示信号に基づきそれぞれの表示装置の設定を切り替える設定切替制御部を備え、前記操作装置の構成として、複数の操作キーを備え、前記複数の操作キーのうちから前記表示装置の設定に用いる操作キーを特定し、前記特定された操作キーに応じて特定された表示装置に対して前記指示信号を送信することを特徴とするものである。
【発明の効果】
【００１１】
本発明のマルチディスプレイ装置によれば、表示部を備えた複数の表示装置を連結して構成されるマルチディスプレイ装置において、前記複数の表示装置のうち特定された表示装置の表示に係る前記表示装置毎の設定を指示する指示信号を送信する操作装置を備え、前記複数の表示装置の構成として、前記指示信号に基づきそれぞれの表示装置の設定を切り替える設定切替制御部を備え、前記操作装置の構成として、複数の操作キーを備え、前記複数の操作キーのうちから前記表示装置の設定に用いる操作キーを特定し、前記特定された操作キーに応じて特定された表示装置に対して前記指示信号を送信するようにしたので、特定の操作キーを操作するだけで、特定の表示装置の表示に係る設定を簡単に設定変更することができる。これにより、例えば、マルチディスプレイ装置を構成する場合に、マルチディスプレイ装置のレイアウト設定に詳しくないユーザでも簡単に設定変更を行なうことができる。
【図面の簡単な説明】
【００１２】
【図１】第１実施形態に係るマルチディスプレイ装置の概略の構成を示す説明図である。
【図２】前記マルチディスプレイ装置を構成する特定の表示装置の電気的構成を示すブロック図である。
【図３】前記特定の表示装置に連結されるその他の表示装置の電気的構成を示すブロック図である。
【図４】前記マルチディスプレイ装置を構成するリモコン装置の電気的構成を示すブロック図である。
【図５】前記マルチディスプレイ装置において４×４の表示装置によるレイアウトの一例を示す説明図である。
【図６】前記マルチディスプレイ装置において４×４の表示装置をエンラージ状態に設定したレイアウトの一例を示す説明図である。
【図７】前記マルチディスプレイ装置において２×２の表示装置を４つ組み合わせたレイアウトの一例を示す説明図である。
【図８】前記マルチディスプレイ装置における表示装置の設定を記憶するときの処理を示すフローチャートである。
【図９】前記マルチディスプレイ装置において、表示装置の設定を呼び出すときの処理を示すフローチャートである。
【図１０】第２実施形態に係るマルチディスプレイ装置の概略の構成を示す説明図である。
【図１１】前記マルチディスプレイ装置を構成する表示装置の電気的構成を示すブロック図である。
【図１２】第３実施形態に係るマルチディスプレイ装置の概略の構成を示す説明図である。
【図１３】前記マルチディスプレイ装置を構成する特定の表示装置の電気的構成を示すブロック図である。
【図１４】前記特定の表示装置に連結されるその他の表示装置の電気的構成を示すブロック図である。
【図１５】第４実施形態に係るマルチディスプレイ装置の概略の構成を示す説明図である。
【図１６】前記マルチディスプレイ装置を構成する表示装置の電気的構成を示すブロック図である。
【図１７】前記マルチディスプレイ装置を構成するリモコン装置の電気的構成を示すブロック図である。
【発明を実施するための形態】
【００１３】
（第１実施形態）
以下、本発明の画像表示装置を実施するための形態について図面を参照して説明する。
図１は発明を実施する形態の一例であって、第１実施形態に係るマルチディスプレイ装置の概略の構成を示す説明図、図２は前記マルチディスプレイ装置を構成する特定の表示装置の電気的構成を示すブロック図、図３は前記特定の表示装置に連結されるその他の表示装置の電気的構成を示すブロック図、図４は前記マルチディスプレイ装置を構成するリモコン装置の電気的構成を示すブロック図である。
【００１４】
第１実施形態に係るマルチディスプレイ装置１は、図１に示すように、表示部１０を備えた複数の表示装置１００（１０１，１０２・・・１０９）を連結して構成されるマルチディスプレイ装置であって、複数の表示装置１００をデイジーチェーン接続により連結して、リモコン装置（操作装置）１１０から特定の指示信号を送信することで、特定された表示装置１００の表示に係る特定の設定を指示するようにしたことを特徴とするものである。
【００１５】
マルチディスプレイ装置１は、リモコン装置１１０と通信可能な表示装置１０１と、複数の表示装置１０２・・・１０９とを、ＲＳ−２３２Ｃケーブルを制御用の通信ケーブル１４０として用いて、デイジーチェーン接続により直列に連結して構成されている。
【００１６】
（表示装置について）
ここで、マルチディスプレイ装置１を構成する表示装置１００について、図面を参照して説明する。
一般に表示装置を示すときは、表示装置１００とし、特定の表示装置を示すときは、表示装置１０１，１０２，１０３・・・と、それぞれの表示装置に符号を付する。
【００１７】
まず、リモコン装置１１０と通信可能な表示装置１０１について説明する。
表示装置１０１は、図２に示すように、主に表示部１０と、記憶部２０と、リモコン通信部（通信部）４０と、送信部（通信部）６０と、設定切替制御部７０と、制御部８０とを備えて構成されている。表示装置１０１は、リモコン装置１１０と通信可能に構成されている。
【００１８】
表示部１０は、マルチディスプレイ装置１の表示部の一部を構成する。
記憶部２０には、マルチディスプレイ装置１における表示装置１０１の表示に係る設定を記憶する設定記憶部２１が設けられている。
【００１９】
第１実施形態では、設定記憶部２１は、現在設定記憶部２１１と、切替え用設定記憶部２１２を備えることを特徴としている。
【００２０】
現在設定記憶部２１１には、例えば、マルチディスプレイ装置１の特定のレイアウトに対応する表示装置１０１の表示に係る設定、エンラージ設定、明るさの設定、色温度の設定等が記憶されている。
【００２１】
切替え用設定記憶部２１２には、表示装置１０１の設定が切替えられるときの表示装置１０１の設定が記憶される。
【００２２】
リモコン通信部４０は、リモコン装置１１０と通信可能に接続されて、リモコン装置１１０から送信された指示信号を受信する受信部として機能する。
【００２３】
送信部６０は、通信ケーブル１４０により隣接する表示装置１０２と通信可能に接続され、リモコン装置１１０から受信した指示信号を表示装置１０２に送信する送信部として機能する。
【００２４】
設定切替制御部７０は、リモコン装置１１０からの指示信号に基づき表示装置１０１の表示に係る設定を切り替える。
【００２５】
詳しくは、指示信号はリモコン装置１１０の複数の操作キーのうちから表示装置１００の設定に用いる操作キーを特定し、特定された操作キーに応じてそれぞれ特定の指示信号が出力される。この特定の指示信号に応じて、表示装置１０１の表示に係る設定が特定される。そして、設定切替制御部７０により、特定の指示信号に応じて表示装置１０１の表示に係る特定の設定に切替られる。
【００２６】
制御部８０は、表示制御用のプログラム等により表示装置１０１の表示に係る制御を実行する。なお、制御部８０が設定切替制御部７０として機能するように構成してもよい。
【００２７】
次に、リモコン装置１１０と通信可能な表示装置１０１に対してデイジーチェーン接続により連結される表示装置（１０２，１０３・・・１０９）について、表示装置１０２を例に挙げて説明する。なお、表示装置１０２において、表示装置１０１と同一の構成については同一の符号することで説明を省略する。
【００２８】
表示装置１０２は、図３に示すように、主に表示部１０と、記憶部２０と、受信部（通信部）４２と、送信部（通信部）６０と、設定切替制御部７０、制御部８０とを備えて構成されている。
【００２９】
受信部４２は、通信ケーブル１４０により隣接する表示装置１０１の送信部６０と通信可能に接続され、表示装置１０１から送信されたリモコン装置１１０からの指示信号を受信する受信部として機能する。
【００３０】
送信部６０は、通信ケーブル１４０により隣接する表示装置１０３の受信部４２と通信可能に接続され、表示装置１０１から受信した指示信号を表示装置１０３に送信する送信部として機能する。
【００３１】
以下、表示装置１０３・・・１０９は、表示装置１０２と同様に構成されて、デイジーチェーン接続にて直列に連結されている。
【００３２】
（リモコン装置について）
次に、操作装置としてのリモコン装置１１０について、図面を参照して説明する。
リモコン装置１１０は、図４に示すように、主に操作部１２１と、記憶部１２３と、信号出力部１２５と、通信部１２７と、制御部１２９とを備えて構成されている。
なお、操作装置として、リモコン装置１１０の他に、例えばスマートフォン等の携帯端末を用いてもよい。
【００３３】
操作部１２１は、複数の操作キー１２１１を備えている。
複数の操作キー１２１１は、それぞれの操作キー１２１１の機能を備えるとともに、それぞれの操作キー１２１１に対応した特定の指示信号を出力するようにされている。
【００３４】
操作キー１２１１の設定は、例えば、現在の表示装置１００の各種設定の状態を対応させた設定とし、特定の操作キー１２１１を押すだけで表示装置１００の設定を特定した設定に変更するようにする。例えば、操作キーが「３」キーであれば３×３の９台の表示装置１００による設定、「４」キーであれば４×４の１６台の表示装置１００による設定となるようにしてもよい。
【００３５】
記憶部１２３には、マルチディスプレイ装置１を構成するそれぞれの表示装置１００の表示に係る設定が記憶された設定記憶部１２３１が設けられている。
設定記憶部１２３１には、例えば、それぞれの表示装置１００に対応して設定される、マルチディスプレイ装置１の特定のレイアウトに対応したレイアウト位置の設定、エンラージ設定、明るさの設定、色温度の設定等が記憶されている。
【００３６】
信号出力部１２５は、それぞれの操作キー１２１１に対応する特定の指示信号を出力する。特定の指示信号は、設定記憶部１２３１に記憶されているそれぞれの表示装置１００の表示に係る設定に対応して特定される指示信号であって、特定の操作キー１２１１を操作することで出力される。
【００３７】
通信部１２７は、操作キー１２１１を操作することで特定の指示信号を表示装置１０１のリモコン通信部４０に送信する送信部として機能する。
【００３８】
制御部１２９は、通信制御用のプログラム等によりリモコン装置１１０の操作キーの操作に係る通信制御を実行する。
【００３９】
（マルチディスプレイ装置のレイアウトの設定）
次に、マルチディスプレイ装置１によるレイアウトの設定について説明する。
図５は第１実施形態に係るマルチディスプレイ装置において４×４の表示装置によるレイアウトの一例を示す説明図、図６は前記マルチディスプレイ装置において４×４の表示装置をエンラージ状態に設定したレイアウトの一例を示す説明図、図７は前記マルチディスプレイ装置において２×２の表示装置を４つ組み合わせたレイアウトの一例を示す説明図である。
【００４０】
（実施例１）
実施例１は、図５に示すように、マルチディスプレイ装置１において単に４×４の１６台の表示装置１００をマルチに組んだ大画面のレイアウトの一例であって、デフォルト状態でそれぞれの表示装置１００に同一の画像を表示したものである。
【００４１】
（実施例２）
実施例２は、図６に示すように、４×４の１６台の表示装置１００によるマルチディスプレイ装置１において、リモコン装置１１０により、表示装置１００を４×４のエンラージ状態に設定したレイアウトの一例であって、４×４の１６台の表示装置１００によるマルチ画面を１つの大画面として設定したものである。表示される画像は、４×４の１６台の表示装置１００による１つの大画面に拡大表示される。
【００４２】
それぞれの表示装置１００の表示に係る設定は、リモコン装置１１０の操作キー１２１１を操作することにより特定された指示信号が出力されて、リモコン通信部４０により受信された特定された指示信号により４×４の１６台のそれぞれの表示装置１００に対してエンラージ設定が指示される。
【００４３】
（実施例３）
実施例３は、図７に示すように、４×４の１６台の表示装置１００によるマルチディスプレイ装置１において、リモコン装置１１０により、表示装置１００を２×２のエンラージ設定したものを４つ組み合わせたレイアウトの一例であって、エンラージ設定により拡大表示された４つの画像を同時に表示可能に設定したものである。
【００４４】
それぞれの表示装置１００の表示に係る設定は、リモコン装置１１０の操作キー１２１１を操作することにより特定された指示信号が出力されて、リモコン通信部４０により受信された特定された指示信号により４×４の１６台のそれぞれの表示装置１００に対して２×２のエンラージ設定したものを４つ組み合わせたレイアウトとなる設定が指示される。
【００４５】
なお、マルチディスプレイ装置１において、実施例２の設定状態と実施例３の設定状態は、リモコン装置１１０において特定の操作キー１２１１をボタン操作することでワンタッチでレイアウトやエンラージの設定の切替えが可能である。
【００４６】
このように、４×４の１６台の表示装置１００によるマルチディスプレイ装置１において、リモコン装置１１０により、それぞれの操作キー１２１１に応じて表示装置１００に対して特定のレイアウト位置に設定されるように指示信号を出力するようにしたので、ユーザはリモコン装置１１０の操作キー１２１１を操作するだけで、操作キー１２１１に応じて出力される特定の指示信号により表示装置１００を特定のレイアウト位置に設定することができる。
【００４７】
（マルチディスプレイ装置における表示装置の設定）
次に、第１実施形態に係るマルチディスプレイ装置１において、表示装置１００の表示に係る設定に関する処理についてフローチャートに沿って説明する。
図８は第１実施形態に係るマルチディスプレイ装置における表示装置の設定を記憶するときの処理を示すフローチャート、図９は前記マルチディスプレイ装置において、表示装置の設定を呼び出すときの処理を示すフローチャートである。
【００４８】
まず、マルチディスプレイ装置１において、表示装置１００の設定を記憶するときの処理について説明する。
マルチディスプレイ装置１において、表示装置１００の表示に係る設定の処理が開始されると、図８に示すように、まず、マルチディスプレイ装置１における操作の操作待ち状態となる（ステップＳ１０１）。
【００４９】
マルチディスプレイ装置１における操作がリモコン装置１１０の操作の場合は、特定の操作キー１２１１の操作により出力された特定の指示信号のキーコードが解析される（ステップＳ１０３）。そして、表示装置１００の設定記憶操作か否かが判定される（ステップＳ１０５）。
【００５０】
ステップＳ１０５において、表示装置１００の設定記憶操作であると判定された場合は、ステップＳ１２１に進む。
【００５１】
一方、マルチディスプレイ装置１において、表示装置１００に特定のコマンドが受信された場合は、特定のコマンドが解析される（ステップＳ１１１）。そして、特定のコマンドが表示装置１００の設定記憶コマンドか否かが判定される（ステップＳ１１３）。
【００５２】
ステップＳ１１３において、表示装置１００の設定記憶コマンドであると判定された場合は、ステップＳ１２１に進む。
【００５３】
ステップＳ１２１において、現在設定記憶部２１１から表示装置１００の特定の設定内容が読み出され、ステップＳ１２３において、ワンタッチで切替えられる切替え用設定記憶部２１２に保存（記憶）される。
【００５４】
表示装置１００の設定を保存する場合は、例えば、特定の操作キー１２１１を長押ししたり、登録モードに移行したりすることにより、設定を保存する。
【００５５】
そして、ステップＳ１２５において、接続されている他の表示装置１００があるか否かが判定される。接続されている他の表示装置１００があると判定された場合は、その表示装置１００の設定を記憶するコマンドが送信されて（ステップＳ１２７）、ステップＳ１０１に戻る。
【００５６】
接続されている他の表示装置１００がないと判定された場合は、そのままステップＳ１０１に戻る。
【００５７】
このようにして、ＲＳ−２３２Ｃの通信ケーブル１４０によりデイジーチェーン接続されているすべての表示装置１００でも同様に記憶する。
【００５８】
以降、その特定の操作キー１２１１を操作すると、表示装置１００は記憶した設定に切り替わる。このようにして、通信ケーブル１４０で接続されているすべての表示装置１００も同様に切替わるので、一斉にすべての表示装置１００の表示に係る設定を切替えることができる。
【００５９】
次に、マルチディスプレイ装置１において、表示装置１００の表示に係る設定を読み出すときの処理について説明する。
マルチディスプレイ装置１において、表示装置１００の表示に係る設定の処理が開始されると、図９に示すように、まず、マルチディスプレイ装置１における操作の操作待ち状態となる（ステップＳ２０１）。
【００６０】
マルチディスプレイ装置１における操作がリモコン装置１１０の操作の場合は、特定の操作キー１２１１の操作により出力された特定の指示信号のキーコードが解析される（ステップＳ２０３）。そして、表示装置１００の設定読み出し操作なのか否かが判定される（ステップＳ２０５）。
【００６１】
ステップＳ２０５において、表示装置１００の設定読み出し操作であると判定された場合は、ステップＳ２２１に進む。
【００６２】
一方、マルチディスプレイ装置１において、表示装置１００に特定のコマンドが受信された場合は、特定のコマンドが解析される（ステップＳ２１１）。そして、特定のコマンドが表示装置１００の設定読み出しコマンドか否かが判定される（ステップＳ２１３）。
【００６３】
ステップＳ２１３において、表示装置１００の設定読み出しコマンドであると判定された場合は、ステップＳ２２１に進む。
【００６４】
ステップＳ２２１において、現在設定記憶部２１１から表示装置１００の特定の設定内容が読み出され、ステップＳ２２３において、現在設定記憶部２１１に反映される。
【００６５】
そして、ステップＳ２２５において、接続されている他の表示装置１００があるか否かが判定される。接続されている他の表示装置１００があると判定された場合は、その表示装置１００の設定読み出しコマンドが送信されて（ステップＳ２２７）、ステップＳ２０１に戻る。
【００６６】
接続されている他の表示装置１００がないと判定された場合は、そのままステップＳ２０１に戻る。
【００６７】
このようにして、ＲＳ−２３２Ｃの通信ケーブル１４０によりデイジーチェーン接続されているすべての表示装置１００でも同様に設定読み出しが行なわれる。
【００６８】
以降、その特定の操作キー１２１１を操作すると、特定の設定読み出しが実行される。
これにより、通信ケーブル１４０で接続されているすべての表示装置１００も同様に特定の設定読み出しが実行されるので、一斉にすべての表示装置１００の表示に係る設定を切替えることができる。
【００６９】
以上のように構成したので、第１実施形態によれば、マルチディスプレイ装置１において、デイジーチェーン接続された複数の表示装置１００と、リモコン装置１１０と、を備え、表示装置１００の構成として、記憶部２０に設定記憶部２１を備えるとともに、設定切替制御部７０を備え、リモコン装置１１０の構成として、複数の操作キー１２１１と、表示装置１００に対して特定の設定を指示する指示信号を出力する信号出力部１２５とを備えることで、特定の操作キー１２１１を操作するだけで、特定の表示装置１００の表示に係る設定を簡単に設定変更することができる。これにより、マルチディスプレイ装置１を構成する場合に、マルチディスプレイ装置１のレイアウト設定に詳しくないユーザでも、リモコン装置１１０の操作キー１２１１を操作するだけで、簡単に表示装置１００の設定や設定変更を行なうことができる。
【００７０】
また、第１実施形態によれば、リモコン装置１１０と通信可能な表示装置１０１を特定して、表示装置１０１以降に接続される複数の表示装置１００をデイジーチェーン接続により連結したので、リモコン装置１１０により表示装置１０１に対して表示装置１００の表示に係る設定を指示する指示信号を送信するだけで、すべての表示装置１００に指示信号を送信することができる。
【００７１】
（第２実施形態）
次に、第２実施形態について図面を参照して説明する。
なお、説明の便宜上、第１実施形態と同一の機能を有する構成には、同一の番号を付することで説明を省略する。
【００７２】
図１０は第２実施形態に係るマルチディスプレイ装置の概略の構成を示す説明図、図１１は前記マルチディスプレイ装置を構成する表示装置の電気的構成を示すブロック図である。
【００７３】
第２実施形態に係るマルチディスプレイ装置２は、図１０，図１１に示すように、第１実施形態の構成に加えて、表示装置２００（２０１，２０２，２０３・・・２０９）の構成として、それぞれにリモコン通信部４０を設けたことを特徴とするものである。
なお、表示装置２０１は、第１実施形態の表示装置１０１と同様に構成されている。
【００７４】
第２実施形態では、それぞれの表示装置２００のリモコン通信部４０が、リモコン装置１１０からの指示信号を受信したときは、指示信号に基づきそれぞれの表示装置２００の設定を切り替えるようにしている。
【００７５】
このように構成したので、第２実施形態によれば、マルチディスプレイ装置２を構成する表示装置２００の構成として、それぞれの表示装置２００にリモコン装置１１０からの指示信号を受信するリモコン通信部４０を備えることで、リモコン装置１１０による操作キー１２１１による一度のボタン操作により、それぞれの表示装置２００に対して確実に指示信号を送信することができるので、表示装置２００の設定の切替え操作を簡単に行なうことができる。
【００７６】
（第３実施形態）
次に、第３実施形態について図面を参照して説明する。
なお、説明の便宜上、第１実施形態と同一の機能を有する構成には、同一の番号を付することで説明を省略する。
【００７７】
図１２は第３実施形態に係るマルチディスプレイ装置の概略の構成を示す説明図、図１３は前記マルチディスプレイ装置を構成する特定の表示装置の電気的構成を示すブロック図、図１４は前記特定の表示装置に連結されるその他の表示装置の電気的構成を示すブロック図である。
【００７８】
第３実施形態に係るマルチディスプレイ装置３は、図１２に示すように、表示部１０を備えた複数の表示装置３００（３０１，３０２・・・３０９）を連結して構成されるマルチディスプレイ装置であって、複数の表示装置３００をデイジーチェーン接続により連結して、リモコン装置（操作装置）１１０から特定の指示信号を送信することで、特定された表示装置３０１から、それぞれの表示装置３００にそれぞれ表示装置の表示に係る設定を送信するようにしたことを特徴とするものである。
【００７９】
（表示装置について）
第３実施形態では、マルチディスプレイ装置３を構成する特定の表示装置３０１は、図１３に示すように、主に表示部１０と、記憶部３２０Ａと、リモコン通信部（通信部）４０と、送信部（通信部）６０と、設定切替制御部７０と、制御部８０とを備えて構成されている。
【００８０】
記憶部３２０Ａには、マルチディスプレイ装置３における複数の表示装置３００の表示に係る設定を記憶する第１設定記憶部３２１Ａが設けられている。
【００８１】
第３実施形態では、第１設定記憶部３２１Ａは、現在設定記憶部３２１１Ａと、切替え用設定記憶部３２１２を備えることを特徴としている。
【００８２】
現在設定記憶部３２１１Ａには、例えば、マルチディスプレイ装置３の特定のレイアウトに対応する複数の表示装置３００の表示に係る設定、エンラージ設定、明るさの設定、色温度の設定等が記憶されている。
【００８３】
切替え用設定記憶部３２１２には、表示装置３０１の設定が切替えられるときの表示装置３０１の設定が記憶される。
【００８４】
マルチディスプレイ装置３を構成する特定の表示装置３０１を除くその他の表示装置３００（３０２，３０３・・・３０９）について、表示装置３０２を例に挙げて説明する。
表示装置３０２は、図１４に示すように、主に表示部１０と、記憶部３２０Ｂと、受信部（通信部）４２と、送信部（通信部）６０と、設定切替制御部７０と、制御部８０とを備えて構成されている。
【００８５】
記憶部３２０Ｂには、マルチディスプレイ装置４における表示装置３００の表示に係る設定を記憶する第２設定記憶部３２１Ｂが設けられている。
【００８６】
第３実施形態では、第２設定記憶部３２１Ｂは、現在設定記憶部３２１１Ｂと、切替え用設定記憶部３２１２を備えることを特徴としている。
【００８７】
現在設定記憶部３２１１Ｂには、それぞれの表示装置３００の表示に係る設定が記憶される。
【００８８】
（マルチディスプレイ装置における表示装置の設定）
次に、第３実施形態のマルチディスプレイ装置３における表示装置３００の表示に係る設定について説明する。
【００８９】
マルチディスプレイ装置３におけるそれぞれの表示装置３００の表示に係る設定は、リモコン装置１１０の操作キー１２１１を操作することにより特定された指示信号に応じて特定の表示装置３００の設定が指示される。
【００９０】
表示装置３０１のリモコン通信部４０がリモコン装置１１０からの指示信号を受信したときは、表示装置３０１は、接続されている他の表示装置３００（３０２，３０３・・・３０９）にそれぞれの表示装置３００の表示に係る設定を送信する。
【００９１】
接続されている他の表示装置３００は、送信されたそれぞれの表示装置３００の表示に係る設定を第２設定記憶部３２１Ｂの現在設定記憶部３２１１Ｂに記憶し、切替え用設定記憶部３２１２に記憶して、その設定に基づきそれぞれの表示装置３００のレイアウトに係る設定が行なわれる。
【００９２】
以上のように構成したので、第３実施形態によれば、マルチディスプレイ装置３において、特定の表示装置３００に複数の表示装置３００の表示に係る設定を記憶しておき、リモコン装置１１０からの指示信号に応じて、デイジーチェーン接続で連結される特定の表示装置３００に対して特定の設定を送信するようにしたので、それぞれの表示装置３００が指示信号に応じた特定の設定を予め記憶しておく必要がなく、簡単にマルチディスプレイ装置３の設定を行うできることができる。
【００９３】
（第４実施形態）
次に、第４実施形態について図面を参照して説明する。
なお、説明の便宜上、第１実施形態と同一の機能を有する構成には、同一の番号を付することで説明を省略する。
【００９４】
図１５は第４実施形態に係るマルチディスプレイ装置の概略の構成を示す説明図、図１６は前記マルチディスプレイ装置を構成する表示装置の電気的構成を示すブロック図、図１７は前記マルチディスプレイ装置を構成するリモコン装置の電気的構成を示すブロック図である。
【００９５】
第４実施形態は、デイジーチェーン接続された複数の表示装置と、特定された表示装置の表示に係る特定の設定を指示する指示信号を送信するリモコン装置とを備えるマルチディスプレイ装置において、第１実施形態とは異なり、リモコン装置側に表示装置の表示に係る設定を記憶した記憶部を備えて、リモコン装置からそれぞれの表示装置に各々の表示装置の表示に係る設定を送信するようにしたことを特徴とするものである。
【００９６】
第４実施形態に係るマルチディスプレイ装置４は、図１５に示すように、デイジーチェーン接続された複数の表示装置４００（４０１，４０２・・・４０９）と、特定された表示装置４００の表示に係る特定の設定を指示する指示信号を送信するリモコン装置４１０とを備えて構成されている。
【００９７】
（表示装置について）
第４実施形態では、マルチディスプレイ装置４を構成する表示装置４００は、図１６に示すように、主に表示部１０と、記憶部４２０と、リモコン通信部（通信部）４０と、送信部（通信部）６０と、設定切替制御部７０と、制御部８０とを備えて構成されている。
【００９８】
記憶部４２０には、マルチディスプレイ装置４における複数の表示装置４００の表示に係る設定を記憶する第２設定記憶部４２１が設けられている。
【００９９】
第２設定記憶部４２１は、現在設定記憶部４２１１と、切替え用設定記憶部４２１２を備えることを特徴としている。
【０１００】
現在設定記憶部４２１１には、それぞれの表示装置４００の表示に係る設定が記憶される。
【０１０１】
切替え用設定記憶部４２１２には、表示装置４００の設定が切替えられるときの表示装置４００の設定が記憶される。
【０１０２】
（リモコン装置について）
リモコン装置４１０は、図１７に示すように、主に操作部１２１と、記憶部４２３と、信号出力部１２５と、通信部１２７と、制御部１２９とを備えて構成されている。
【０１０３】
記憶部４２３には、マルチディスプレイ装置４を構成するそれぞれの表示装置４００の表示に係る設定が記憶された第１設定記憶部４２３１が設けられている。
【０１０４】
第１設定記憶部４２３１には、例えば、それぞれの表示装置４００に対応して設定される、マルチディスプレイ装置４の特定のレイアウトに対応したレイアウト位置の設定、エンラージ設定、明るさの設定、色温度の設定等が記憶されている。
【０１０５】
そして、リモコン装置４１０は、表示装置の表示に係る設定を指示する指示信号を複数の表示装置４００に送信するとともに、前記指示信号に基づく特定された表示装置４００に対して特定の表示装置４００の表示に係る設定を送信するようにされている。
【０１０６】
特定された表示装置４００は、リモコン装置１１０から送信されるそれぞれの表示装置４００の表示に係る設定を第２設定記憶部４２１に記憶する。
【０１０７】
（マルチディスプレイ装置における表示装置の設定）
次に、第４実施形態のマルチディスプレイ装置４における表示装置４００の表示に係る設定について説明する。
【０１０８】
マルチディスプレイ装置４におけるそれぞれの表示装置４００の表示に係る設定は、リモコン装置４１０の操作キー１２１１を操作することにより特定された指示信号に応じて特定の表示装置４００の設定が指示される。
【０１０９】
リモコン装置４１０から表示装置４００のリモコン通信部４０に特定の指示信号を送信する。そして、その特定の指示信号に基づき第１設定記憶部４２３１から特定された表示装置４００に対応する設定を読み出して、特定された表示装置４００に対して表示装置４００の表示に係る特定の設定を送信する。
【０１１０】
特定された表示装置４００は、第２設定記憶部４２１にそれぞれの表示装置４００の表示に係る特定の設定を記憶して、それぞれの表示装置４００の表示に係る設定が行なわれる。
【０１１１】
以上のように構成したので、第４実施形態によれば、マルチディスプレイ装置４において、リモコン装置４１０の記憶部４２３に表示装置４００の表示に係る設定を記憶した第１設定記憶部４２３１を備えて、リモコン装置４１０からそれぞれの表示装置４００に各々の表示装置４００の表示に係る設定を送信するようにしたことで、すべての表示装置４００に特定の表示に係る設定を記憶しておく必要がなく、例えば、マルチディスプレイ装置４においてレイアウトの設定を変更する場合に、レイアウトの設定に応じた表示装置４００に対してリモコン装置４１０から指示信号と、指示信号に対応した特定の設定を送信するだけで、簡単にレイアウトの設定及び設定変更を行うことができる。
【０１１２】
また、第４実施形態によれば、表示装置４００自体に予め表示に係る設定等を記憶していないので、例えば、表示装置４００が故障した場合でも、新たに表示装置４００に相当する表示装置を交換するだけで、マルチディスプレイ装置４の表示装置として構成することができる。
【０１１３】
なお、本発明は、上述した実施形態や実施例、変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１１４】
１，２，３，４  マルチディスプレイ装置
１０  表示部
２１，２１１，４２１，１２３１，４２３１  設定記憶部
４０  リモコン通信部（通信部）
４２  受信部（通信部）
６０  送信部（通信部）
７０  設定切替制御部
８０  制御部
１００，２００，３００，４００  表示装置
１１０，４１０  リモコン装置
１２１  操作部
１２５  信号出力部
１４０  通信ケーブル
３２１Ａ  第１設定記憶部（設定記憶部）
３２１Ｂ  第２設定記憶部（設定記憶部）
１２１１  操作キー
【図１】
2019174719.tif 000003
【図２】
2019174719.tif 000004
【図３】
2019174719.tif 000005
【図４】
2019174719.tif 000006
【図５】
2019174719.tif 000007
【図６】
2019174719.tif 000008
【図７】
2019174719.tif 000009
【図８】
2019174719.tif 000010
【図９】
2019174719.tif 000011
【図１０】
2019174719.tif 000012
【図１１】
2019174719.tif 000013
【図１２】
2019174719.tif 000014
【図１３】
2019174719.tif 000015
【図１４】
2019174719.tif 000016
【図１５】
2019174719.tif 000017
【図１６】
2019174719.tif 000018
【図１７】
2019174719.tif 000019